(57)【要約】【課題】衣服に脱着可能で、つぼを刺激する健康部材装着具を得る。【解決手段】健康部材装着具１は装着部２と補助部３とから成り、円板状の装着部２の裏側中央部には凸部５が形成されており、この装着部２の表面には遠赤外線を発する健康部材４が埋め込まれている。一方、補助部３には装着部２の凸部５と嵌合する凹部６が設けられており、凹部６の周囲には凸部５を受け入れる際に、凸部５を弾性的に挟持するためのばね部材７が取り付けられている。例えば肌着等の布地１１を装着部２と補助部３により挟み込んだ後に、凸部５と凹部６を嵌合させると、ばね部材７が拡がり凸部５を両側から挟む弾性力が作用し、布地１１に健康部材装着具１を固定できる。【選択図】図３
2005198799.tif 000002
【特許請求の範囲】
【請求項１】
表面側に健康部材を固定し裏面側に凸部又は凹部を設けた装着部と、該装着部の凸部又は凹部に着脱自在に布地を介して嵌合する凹部又は凸部を設けた固定部とから成ることを特徴とする健康部材装着具。
【請求項２】
前記凹部にはばね部材を設け、前記凸部を弾性的に挟着するようにした請求項１に記載の健康部材装着具。
【請求項３】
前記健康部材は磁性材料又は遠赤外線放射セラミックス又は貴金属又は電気石から成ることを特徴とする請求項１に記載の健康部材装着具。
【請求項４】
前記装着部において前記健康部材はコイン状とし、表面に開口を設けた表面板と、裏側に前記凸部又は凹部を設けた裏面板とにより挟着したことを特徴とする請求項１に記載の健康部材装着具。
【発明の詳細な説明】
【技術分野】
【０００１】
本発明は、例えば磁力や遠赤外線などにより、つぼを刺激し、こりをほぐしたり、血行を良くするための健康部材を取り付け、所謂健康器具として使用するための健康部材装着具に関するものである。
【背景技術】
【０００２】
従来から、肩こりをほぐしたり、血行を良くするために、所謂健康部材としてのチップ状の部材等を粘着テープなどを用いて肩等に貼り付けたりすることがある。また、例えば特許文献１に示すような遠赤外線放射セラミックスから成る指輪等が知られている。
【０００３】
【特許文献１】特開２００３−５２８３７号公報
【発明の開示】
【発明が解決しようとする課題】
【０００４】
しかしながら、上述の粘着テープにより健康部材を皮膚に直接貼り付ける製品においては、皮膚の弱い使用者は粘着剤により皮膚がかぶれたり、かゆみを感ずることがある。また、粘着テープを繰り返して使用したり、入浴したりすると、粘着力が低下し、或る程度使用すると新たな粘着テープと交換することが必要となる。更に、剥離、貼り付けを繰り返す際に紛失してしまう虞れもある。
【０００５】
また、背中等にひとりでこの粘着テープを貼り付ける場合には、鏡を見て貼ったりするため、貼り付ける場所によっては極めて難渋する。
【０００６】
更に、体毛の多い場所には、粘着テープの効力がなく、無理に貼っても剥がす際に痛みを感ずる。従って、体毛の多い動物には粘着テープは適用できない。
【０００７】
また、特許文献１のように指輪状の形態のものは、指等に装着するには効果的であるが、平面的な個所、背中や肩等の部位には装着することは難しい。
【０００８】
本発明の目的は、上述の問題点を解消し、所謂健康部材を体の任意の部位に接触させ、かつ簡単に装着、脱着することができる健康部材装着具を提供することにある。
【課題を解決するための手段】
【０００９】
上記目的を達成するための請求項１に係る本発明は、表面側に健康部材を固定し裏面側に凸部又は凹部を設けた装着部と、該装着部の凸部又は凹部に着脱自在に布地を介して嵌合する凹部又は凸部を設けた固定部とから成ることを特徴とする健康部材装着具である。
【００１０】
また請求項２に係る本発明は、前記凹部にはばね部材を設け、前記凸部を弾性的に挟着するようにした請求項１に記載の健康部材装着具である。
【００１１】
請求項３に係る本発明は、前記健康部材は磁性材料又は遠赤外線放射セラミックス又は貴金属又は電気石から成ることを特徴とする請求項１に記載の健康部材装着具である。
【００１２】
請求項４に係る本発明は、前記装着部において前記健康部材はコイン状とし、表面に開口を設けた表面板と、裏側に前記凸部又は凹部を設けた裏面板とにより挟着したことを特徴とする請求項１に記載の健康部材装着具である。
【発明の効果】
【００１３】
本発明に係る健康部材装着具によれば、身に付ける肌着等の布地の任意の位置、特にツボや経絡の近傍に取り付けることが可能であり、背中等の自分自身では手の届き難い部位に対しても、所望の位置に取り付けた伸縮自在の肌着、下着等を着用すれば、目的の個所に健康部材を当接することができる。
【００１４】
また、肌着等を洗濯する際には、嵌合を外すことにより、洗濯に際して布地を傷めることもなく、紛失する虞れも少なくなり、繰り返して使用することができる。
【００１５】
更に、体毛の多い個所にも装着できるので、動物に対しても適応することができる。
【発明を実施するための最良の形態】
【００１６】
本発明を図示の実施例に基づいて詳細に説明する。
図１は本実施例の健康部材装着具１の斜視図を示しており、この健康部材装着具１は例えば直径１５ｍｍ程度のコイン状の装着部２と、同様の補助部３とから成り、装着部２においては金属板から成る表面板２ａと裏面板２ｂの間に、例えば遠赤外線放射セラミックス粉末を固化又は焼結してコイン状に固め、遠赤外線を発する健康部材４が挟着されている。図２に示すように、表面板２ａには複数の開口２ｃが設けられ、裏面板２ｂの裏側中央部には、基部にくびれ部５ａを有する凸部５が形成されている。
【００１７】
一方、補助部３には装着部２の凸部５と嵌合する略円筒状の凹部６が設けられており、凹部６の周囲には凸部５を受け入れた際に、凸部５のくびれ部５ａを弾性的に挟持するための屈曲したばね部材７が固定されている。凹部６の基部の両側に切欠部６ａが設けられ、これらの切欠部６ａを介してばね部材７の一部が凹部６の内側に入り込むようにされている。
【００１８】
図３はこの健康部材装着具１の使用状態の断面図を示しており、例えば下着等の伸縮自在の布地１１の内側に装着部２を配置し、補助部３とにより挟み込んだ後に、装着部２の凸部５を補助部３の凹部６に押し込むと、ばね部材７による凸部５のくびれ部５ａを両側から挟む弾性力が作用し、凸部５が凹部６から抜け出すことなく嵌合し、布地１１に健康部材装着具１を固定できる。
【００１９】
図４に示すように、健康部材装着具１を下着１２の必要個所に取り付けて着用することにより、装着部２の健康部材４が皮膚に密着し、健康部材４から発生する例えば遠赤外線が、表面板２ａの開口２ｃを介して身体に作用することになる。また、健康部材装着具１を取り付けた下着１２の上に、更に重ね着をすることにより、下着１２を締め付けることになり、健康部材装着具１はより皮膚に密着し、より効果的に作用する。
【００２０】
また、下着１２の洗濯の際や、取付位置を変更する場合には、凸部５をばね部材７の付勢力に抗して凹部６から抜き取ることにより外せばよい。そして、再び装着部２と補助部３とを布地１１を介して嵌合させることにより、繰り返しの使用が可能となる。
【００２１】
更には、従来の粘着テープは関節などの動きの激しい個所では、容易に剥がれ易かったが、本発明の健康部材装着具１はそのような心配はない。
【産業上の利用可能性】
【００２２】
なお、実施例においては装着部２に凸部５、補助部３に凹部６を設けたが、これらの凸部５と凹部６を逆にすることもできる。
【００２３】
また、表面板２ａには複数個の開口２ｃを設けたが、単数で大きな面積を有するものであってもよい。或いは、複数個の粒状の健康部材を表面板２ａに埋め込むこともできる。
【００２４】
更に、健康部材４は遠赤外線放射セラミックスに限らず、磁性材料又は貴金属又は電気石であってもよい。
【００２５】
また実施例においては、肌着に取り付ける場合を説明したが、帽子、靴下、手袋、パジャマ、サポータ等に取り付けることもできる。
【図面の簡単な説明】
【００２６】
【図１】分解斜視図である。
【図２】装着部の正面図である。
【図３】布地を挟み込んだ状態の断面図である。
【図４】肌着に装着した状態の説明図である。
【符号の説明】
【００２７】
１  健康部材装着具
２  装着部
２ａ  表面板
２ｂ  裏面板
２ｃ  開口
３  補助部
４  健康部材
５  凸部
６  凹部
７  ばね部材
１１  布地
１２  下着
【図１】
2005198799.tif 000003
【図２】
2005198799.tif 000004
【図３】
2005198799.tif 000005
【図４】
2005198799.tif 000006